(57)【要約】【課題】コネクターの取付け面積の縮小化を図りコンパクトなコネクターの取付け構造を得る。【解決手段】電線２の一部を保持する電線保持部７の一端開口に同心に形成されている円環形状のツバ部８と、ツバ部の外周の一部から径方向外方に突出している固定部９とを備えたコネクター３を使用する。壁面４に直交する方向からコネクターを見て、電線保持部に保持された電線の中心位置Ｐを通過して壁面の高さ方向に延在する高さ方向仮想線Ｌｔを引き、中心位置で高さ方向仮想線に直交して壁面の幅方向に延在する幅方向仮想線Ｌｈを引き、高さ方向仮想線及び幅方向仮想線により壁面を４つの分割領域Ｂ１〜Ｂ４に分けた場合に、コネクターの固定部が、４つの分割領域のうち何れかの領域の高さ方向仮想線及び幅方向仮想線に重ならない位置に配置され、固定部のねじ孔に通過させた固定ねじ１０が壁面にねじ込まれることで、コネクターが取付けられている。【選択図】図２
2017139163.tif 000002
【特許請求の範囲】
【請求項１】
筐体壁部に挿通された電線の一部を保持するコネクターを、前記筐体壁部の壁面に取付ける構造であって、
前記コネクターは、
前記電線の一部を保持する筒状の電線保持部と、
前記電線保持部の一端開口に同心に形成されている円環形状のツバ部と、
前記ツバ部の外周の一部から径方向外方に突出し、ねじ孔が形成されている固定部と、を備え、
前記壁面に直交する方向から前記コネクターを見て、前記電線保持部の中心位置を通過して前記壁面の高さ方向に延在する高さ方向仮想線を引き、前記中心位置で前記高さ方向仮想線に直交して前記壁面の幅方向に延在する幅方向仮想線を引き、これら高さ方向仮想線及び前記幅方向仮想線により前記壁面を４つの分割領域に分けた場合に、
前記コネクターの前記固定部が、前記４つの分割領域のうち何れかの領域の前記高さ方向仮想線及び前記幅方向仮想線に重ならない位置に配置され、
前記固定部の前記ねじ孔に通過させた固定ねじが前記壁面にねじ込まれることで前記コネクターが取付けられていることを特徴とするコネクターの取付け構造。
【請求項２】
前記ツバ部の外周から一つの前記固定部が突出して形成されていることを特徴とする請求項１記載のコネクターの取付け構造。
【請求項３】
前記ツバ部の外周から二つの前記固定部が突出して形成されていることを特徴とする請求項１記載のコネクターの取付け構造。
【請求項４】
二つの前記固定部は、前記中心位置を中心とした点対称位置となるように、前記４つの分割領域のうち互いに隣接しない二つの領域に配置されていることを特徴とする請求項３記載のコネクターの取付け構造。
【請求項５】
前記電線は１本の電線であり、前記電線保持部は、前記電線の外周を保持する円筒形状の部位であることを特徴とする請求項１乃至４の何れか１項に記載のコネクターの取付け構造。
【請求項６】
前記電線保持部は、楕円筒形状の内部空間に複数の電線を樹脂モールドで埋め込んだ状態で保持していることを特徴とする請求項１乃至４の何れか１項に記載のコネクターの取付け構造。
【発明の詳細な説明】
【技術分野】
【０００１】
本発明は、電線を保持しているコネクターを、電線が挿通されている筐体壁部の壁面に取付ける構造に関する。
【背景技術】
【０００２】
従来、機器同士を電線で接続する構造として、例えば自動車（特に、電気自動車やハイブリッド自動車）において、モータやバッテリー、インバータ等の電気機器同士がシールド電線によって接続され、このシールド電線と電気機器のケースとをアース接続する構造が提案されている（例えば、特許文献１参照）。
この特許文献１に記載されている構造では、電気機器のケースの壁部にシールド電線が挿通されているとともに、シールド電線を保持するコネクターが壁部の壁面に取付けられている。
【０００３】
特許文献１のコネクターは、アルミニウム合金等の金属で形成され、筒状の電線保持部
と、電線保持部の一端で円環状に一体形成されたツバ部（特許文献１ではハウジングと称している）と、ツバ部の外縁の一部から径方向外方に突出して形成され、ねじ孔を設けた固定部とを備えた部材である。
このコネクターは、ケースの壁部に挿通されたシールド電線の一部を電線保持部に挿入し、ツバ部を壁面に当接した状態で、固定部のねじ孔に通過させた固定ねじを壁面にねじ込むことで固定部を固定し、シールド電線を保持したコネクターを壁面に取付けている。
【先行技術文献】
【特許文献】
【０００４】
【特許文献１】特開２０１４−１４６４３５号公報（図３参照）
【発明の概要】
【発明が解決しようとする課題】
【０００５】
ところで、特許文献１のコネクターは、高さ方向の下方に電線保持部が位置し、上方に固定部が位置した状態で壁面に取付けられており、コネクターの取付け高さが大きくなるので、コネクターの取付け面積が拡大するおそれがある。
また、特許文献１には記載されていないが、コネクターの取付け高さを低くするため、筐体壁の幅方向の一方側にコネクターの固定部を位置し、幅方向の他方側に電線保持部を位置した状態でコネクターを外壁に取り付けることが考えられるが、この場合には、コネクターの取付け幅が増大して取付け面積が拡大してしまうおそれがある。
本発明は上記事情に鑑みてなされたものであり、コネクターの取付け面積の縮小化を図りコンパクトなコネクターの取付け構造を得ることを目的としている。
【課題を解決するための手段】
【０００６】
上記目的を達成するために、本発明の一態様に係るコネクターの取付け構造は、電線の一部を保持する筒状の電線保持部と、電線保持部の一端開口に同心に形成されている円環形状のツバ部と、ツバ部の外周の一部から径方向外方に突出し、ねじ孔が形成されている固定部とを備えたコネクターを使用する。そして、壁面に直交する方向からコネクターを見て、電線保持部に保持されている電線の中心位置を通過して壁面の高さ方向に延在する高さ方向仮想線を引き、中心位置で高さ方向仮想線に直交して壁面の幅方向に延在する幅方向仮想線を引き、これら高さ方向仮想線及び幅方向仮想線により壁面を４つの分割領域に分けた場合に、コネクターの固定部が、４つの分割領域のうち何れかの領域の高さ方向仮想線及び幅方向仮想線に重ならない位置に配置され、固定部のねじ孔に通過させた固定ねじが壁面にねじ込まれることで、コネクターが取付けられている。
【発明の効果】
【０００７】
本発明に係るコネクターの取付け構造によれば、コネクターの取り付け高さ、或いは取付け幅が小さくなるので、電線を確実に保持しながらコネクターの取付け面積の縮小化を図ることができる。
【図面の簡単な説明】
【０００８】
【図１】本発明に係る第１実施形態のコネクターの取付け構造を示す斜視図である。
【図２】本発明に係る第１実施形態のコネクターの取付け構造を壁面に直交する方向から示した図である。
【図３】第１実施形態のコネクターの取付け構造の効果を示す図である。
【図４】本発明に係る第２実施形態のコネクターの取付け構造を示す図である。
【０００９】
【図５】本発明に係る第３実施形態のコネクターの取付け構造を示す斜視図である。
【図６】本発明に係る第３実施形態のコネクターの取付け構造を壁面に直交する方向から示した図である。
【図７】第３実施形態のコネクターの取付け構造の効果を示す図である。
【図８】本発明に係る第４実施形態のコネクターの取付け構造を示す図である。
【図９】本発明に係る第５実施形態のコネクターの取付け構造を示す斜視図である。
【図１０】本発明に係る第５実施形態のコネクターの取付け構造を壁面に直交する方向から示した図である。
【図１１】本発明に係る第５実施形態に係る第１変形例のコネクターの取付け構造を壁面に直交する方向から示した図である。
【図１２】本発明に係る第５実施形態に係る第２変形例のコネクターの取付け構造を壁面に直交する方向から示した図である。
【発明を実施するための形態】
【００１０】
次に、図面を参照して、本発明の第１〜５実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
【００１１】
また、以下に示す第１〜４実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１２】
［第１実施形態のコネクターの取付け構造］
図１から図３は、本発明に係る第１実施形態のコネクターの取付け構造を示すものである。
図１の符号１は、電気自動車やハイブリッド自動車などで使用されているインバータの筐体の壁部であり、壁部１の手前側を筐体の外部とし、壁部１の奥側を筐体の内部としている。なお、壁部１は、筐体を構成している壁のうち一部の部位だけを示している。
【００１３】
壁部１には、１本の電線２を筐体の外部から内部に通過させる挿通孔（不図示）が形成されており、筐体の内部に収納された電気機器（不図示）と筐体の外部に配置した電気機器とが、壁部１の挿通孔を通過した電線２で接続されているとともに、１本の電線２を保持する１個のコネクター３が壁部１の壁面４に取付けられている。
電線２は、複数の素線を撚った撚線等からなる導体５と、導体５の外周を覆う絶縁性の合成樹脂等からなる絶縁被覆部材６とで構成されている。
【００１４】
コネクター３は、アルミニウム合金等の金属により一体成形された部品であり、円筒形状の電線保持部７と、電線保持部７の一端側の開口周縁からに同心に形成されている円環形状のツバ部８と、ツバ部８の外周の一部から径方向外方に突出している一つの固定部９と、を備えている。固定部９の外周は円弧形状に形成され、ツバ部８の外周の一部から突出することで瓢箪形をなしている。
【００１５】
コネクター３の電線保持部７には、壁部１の挿通孔を通過して筐体の外部から内部に延在している電線２の一部が挿入されている。
固定部９の平面方向の中央部には、ねじ孔（不図示）が形成されており、このねじ孔を通過した固定ねじ１０が壁部１に形成しためねじ部（不図示）にねじ込まることで、コネクター３が壁面４に取付けられている。
【００１６】
ここで、図２は、壁面４に取り付けられたコネクター３の配置位置を示すものである。
図２によると、電線保持部７に挿入された電線２の中心位置Ｐを通過して壁面４の高さ方向に延在している線を高さ方向仮想線Ｌｔとし、中心位置Ｐで高さ方向仮想線Ｌｔに直交して壁面４の幅方向に延在している線を幅方向仮想線Ｌｈとし、これら高さ方向仮想線Ｌｔ及び幅方向仮想線Ｌｈにより壁面４を４つの分割領域Ｂ１〜Ｂ４に分けている。
【００１７】
そして、コネクター３の固定部９は、分割領域Ｂ１において高さ方向仮想線Ｌｔ及び幅方向仮想線Ｌｈ重ならない位置に配置されている。具体的には、図２において、中心位置Ｐから固定部９のねじ孔の中心を結ぶ線を固定部仮想線Ｌｋとすると、幅方向仮想線Ｌｈと固定部仮想線Ｌｋとがなす角度θが４５°（θ＝４５°）となる位置に固定部９が配置されている。
【００１８】
次に、図３を参照して第１実施形態のコネクターの取付け構造の効果について説明する。
従来のようにコネクター３の固定部９が高さ方向仮想線Ｌｔに重なるように配置すると（図３において電線保持部７より上方に位置している固定部９ａとして示す場合には）、コネクター３の取付け高さがＴ１の値となる。また、従来のようにコネクター３の固定部９が幅方向仮想線Ｌｈに重なるように配置すると（図３において幅方向の一端側に位置している固定部９ｂとして示す場合には）、コネクター３の取付け幅がＨ１の値となる。
【００１９】
これに対して、分割領域Ｂ１において高さ方向仮想線Ｌｔ及び幅方向仮想線Ｌｈに重ならない位置に固定部９を配置した第１実施形態のコネクター３は、取付け高さＴ１より小さな値Ｔと、取付け幅Ｈ１より小さな値Ｈとなる（Ｔ＜Ｔ１，Ｈ＜Ｈ１）。
このように、第１実施形態のコネクターの取付け構造は、分割領域Ｂ１において高さ方向仮想線Ｌｔ及び幅方向仮想線Ｌｈに重ならない位置に固定部９を配置したことで、取付け高さＴ及び取付け幅Ｈの両者が小さな値となり、コネクター３の取付け面積の縮小化を図ることができるので、コンパクトなコネクターの取付け構造を得ることができる。
【００２０】
なお、第１実施形態では第１分割領域Ｂ１に固定部９を配置したが、他の第２〜第４分割領域において高さ方向仮想線Ｌｔ及び幅方向仮想線Ｌｈに重ならない位置に固定部９を配置しても、同様の効果を奏することができる。
また、第１実施形態では、幅方向仮想線Ｌｈと固定部仮想線Ｌｋとがなす角度θが４５°となる位置に固定部９を配置しているが、θ＝４５°±１５°の角度範囲において固定部９が配置されていても、コネクター３の取付け面積の縮小化を図ることができる。
さらに、コネクター３は金属材に限らず、樹脂製であってもよい。
【００２１】
［第２実施形態のコネクターの取付け構造］
次に、図４は、本発明に係る第２実施形態のコネクターの取付け構造を示すものである。なお、図１から図３で示した第１実施形態と同一構成部分には同一符号を付してその説明を省略する。
第２実施形態は、壁部１に３本の電線２を筐体の外部から内部に通過させる３個の挿通孔（不図示）が形成されており、これら３本の電線２を保持する３個のコネクター３が壁部１の壁面４に取付けられている。ここで、壁部１に形成されている３個の挿通孔は、それらの中心が壁面４の幅方向に延在している幅方向仮想線Ｌｈに一致するように形成されている。
【００２２】
そして、３個のコネクター３のそれぞれは、電線保持部７に挿入された電線２の中心位置Ｐを通過して壁面４の幅方向に延在している幅方向仮想線Ｌｈと、中心位置Ｐから固定部９のねじ孔の中心を結ぶ固定部仮想線Ｌｋとがなす角度θが４５°（θ＝４５°）となる位置に固定部９が配置されている。
すなわち、第１実施形態と同様に、高さ方向仮想線Ｌｔと、中心位置Ｐで高さ方向仮想線Ｌｔに直交して壁面４の幅方向に延在している幅方向仮想線Ｌｈとで各コネクター３の周囲の壁面４を４つの分割領域に分けた場合に、ツバ部８に対して上部側の右斜め（図２のＢ１で示した分割領域）に固定部９が配置されている。
【００２３】
第２実施形態のコネクターの取付け構造によると、３個のコネクター３の固定部９を、幅方向仮想線Ｌｈと固定部仮想線Ｌｋとがなす角度θが４５°（θ＝４５°）となる位置に配置したことで、従来のようにコネクター３の固定部９が高さ方向仮想線Ｌｔ、或いは幅方向仮想線Ｌｈに重なるように配置した場合と比較して、壁面４の取付け高さＴ２及び取付け幅Ｈ２の両者が小さな値となり、３個のコネクター３の取付け面積の縮小化を図ることができ、コンパクトなコネクターの取付け構造を得ることができる。
【００２４】
なお、第２実施形態も、第１実施形態と同様に、ツバ部８に対して下部側の右斜め（図２のＢ２で示した分割領域）に固定部９を配置しても、ツバ部８に対して下部側の左斜め（図２のＢ３で示した分割領域）に固定部９を配置しても、ツバ部８に対して上部側の左斜め（図２のＢ４で示した分割領域）に固定部９を配置しても、同様の効果を奏することができる。
また、第２実施形態も、幅方向仮想線Ｌｈと固定部仮想線Ｌｋとがなす角度θが４５°となる位置に固定部９を配置しているが、θ＝４５°±１５°の角度範囲において固定部９が配置されていても、コネクター３の取付け面積の縮小化を図ることができる。
【００２５】
［第３実施形態のコネクターの取付け構造］
次に、図５から図７は、本発明に係る第３実施形態のコネクターの取付け構造を示すものである。
第３実施形態は、壁部１に１本の電線２を筐体の外部から内部に通過させる挿通孔（不図示）が形成されており、筐体の内部に収納された電気機器（不図示）と筐体の外部に配置した電気機器とが、壁部１の挿通孔を通過した電線２で接続されているとともに、１本の電線２を保持する１個のコネクター１１が壁部１の壁面４に取付けられている。
コネクター１１は、アルミニウム合金等の金属により一体成形された部品であり、円筒形状の電線保持部７と、電線保持部７の一端側の開口周縁からに同心に形成されている円環形状のツバ部８と、ツバ部８の外周の一部から径方向外方に突出している２つの固定部１２と、を備えている。
【００２６】
コネクター３の電線保持部７には、壁部１の挿通孔を通過して筐体の外部から内部に延在している電線２の一部が挿入されている。
固定部１２の平面方向の中央部には、ねじ孔（不図示）が形成されており、このねじ孔を通過した固定ねじ１０が壁部１に形成しためねじ部（不図示）にねじ込まることで、コネクター１１が壁面４に取付けられている。
【００２７】
図６は、壁面４に取り付けられたコネクター１１の配置位置を示すものである。
図６によると、高さ方向仮想線Ｌｔ及び幅方向仮想線Ｌｈにより壁面４を４つの分割領域Ｂ１〜Ｂ４に分けた場合に、コネクター３の２つの固定部９は、分割領域Ｂ１、Ｂ３において高さ方向仮想線Ｌｔ及び幅方向仮想線Ｌｈ重ならない位置に配置されている。具体的には、図２において、中心位置Ｐから２つの固定部９のねじ孔の中心を結ぶ線を固定部仮想線Ｌｋ１とすると、幅方向仮想線Ｌｈと固定部仮想線Ｌｋ１とがなす角度θが４５°（θ＝４５°）となる位置、すなわち、中心位置Ｐを中心とした点対称位置に２つの固定部９が配置されている。
【００２８】
次に、図７を参照して第３実施形態のコネクターの取付け構造の効果について説明する。
コネクター１１の２個の固定部１２が高さ方向仮想線Ｌｔに重なるように配置すると（図７において電線保持部７に対して上方及び下方に位置している固定部１２ａとして示す場合には）、コネクター１１の取付け高さがＴ４の値となる。また、コネクター１１の固定部１２が幅方向仮想線Ｌｈに重なるように配置すると（図７において幅方向の一端及び両端に位置している固定部１２ｂとして示す場合には）、コネクター１１の取付け幅がＨ４の値となる。
【００２９】
これに対して、分割領域Ｂ１，Ｂ３において高さ方向仮想線Ｌｔ及び幅方向仮想線Ｌｈに重ならない位置に固定部１２を配置した第３実施形態のコネクター１１は、取付け高さＴ４より小さな値Ｔ３と、取付け幅Ｈ４より小さな値Ｈ３なる（Ｔ３＜Ｔ４，Ｈ３＜Ｈ４）。
このように、第３実施形態のコネクターの取付け構造は、分割領域Ｂ１，Ｂ３において高さ方向仮想線Ｌｔ及び幅方向仮想線Ｌｈに重ならない位置に２つの固定部１２を配置したことで、取付け高さＴ３及び取付け幅Ｈ３の両者が小さな値となり、コネクター１１の取付け面積の縮小化を図ることができるので、コンパクトなコネクターの取付け構造を得ることができる。
【００３０】
なお、第１実施形態では第１分割領域Ｂ１に固定部９を配置したが、他の第２〜第４分割領域において高さ方向仮想線Ｌｔ及び幅方向仮想線Ｌｈに重ならない位置に固定部９を配置しても、同様の効果を奏することができる。
また、第１実施形態では、幅方向仮想線Ｌｈと固定部仮想線Ｌｋ１とがなす角度θが４５°となる位置に２つの固定部１２を配置しているが、θ＝４５°±１５°の角度範囲において固定部１２が配置されていても、コネクター１１の取付け面積の縮小化を図ることができる。
【００３１】
［第４実施形態のコネクターの取付け構造］
次に、図８は、本発明に係る第４実施形態のコネクターの取付け構造を示すものである。
第４実施形態は、壁部１に３本の電線２を筐体の外部から内部に通過させる３個の挿通孔（不図示）が形成されており、これら３本の電線２を保持する３個のコネクター１１が壁部１の壁面４に取付けられている。ここで、壁部１に形成されている３個の挿通孔（不図示）は、それらの中心が壁面４の幅方向に延在している幅方向仮想線Ｌｈに一致するように形成されている。
【００３２】
そして、３個のコネクター１１のそれぞれは、電線保持部７に挿入された電線２の中心位置Ｐを通過して壁面４の幅方向に延在している幅方向仮想線Ｌｈと、中心位置Ｐから固定部９のねじ孔の中心を結ぶ固定部仮想線Ｌｋ１とがなす角度θが４５°（θ＝４５°）となる位置に固定部１２が配置されている。
すなわち、第１実施形態と同様に、高さ方向仮想線Ｌｔと、中心位置Ｐで高さ方向仮想線Ｌｔに直交して壁面４の幅方向に延在している幅方向仮想線Ｌｈとで各コネクター１１の周囲の壁面４を４つの分割領域に分けた場合に、ツバ部８に対して上部側の右斜め（図６のＢ１で示した分割領域）及び下部側の左斜め（図６のＢ３で示した分割領域）に２つの固定部１２が配置されている。
【００３３】
第４実施形態のコネクターの取付け構造によると、３個のコネクター１１の２つずつの固定部１２を、幅方向仮想線Ｌｈと固定部仮想線Ｌｋ１とがなす角度θが４５°（θ＝４５°）となる位置に配置したことで、固定部１２が高さ方向仮想線Ｌｔ、或いは幅方向仮想線Ｌｈに重なるように配置した場合と比較して、壁面４の取付け高さＴ５及び取付け幅Ｈ５の両者が小さな値となり、３個のコネクター１１の取付け面積の縮小化を図ることができ、コンパクトなコネクターの取付け構造を得ることができる。
【００３４】
なお、第４実施形態は、ツバ部８に対して上部側の左斜め（図６のＢ４で示した分割領域）及び下部側の右斜め（図６のＢ２で示した分割領域）に２つの固定部１２を配置しても、同様の効果を奏することができる。
また、第４実施形態は、幅方向仮想線Ｌｈと固定部仮想線Ｌｋ１とがなす角度θが４５°となる位置に２つの固定部１２を配置しているが、θ＝４５°±１５°の角度範囲において２つの固定部９１２配置されていても、コネクター１１の取付け面積の縮小化を図ることができる。
【００３５】
［第５実施形態のコネクターの取付け構造］
次に、図９から図１２は、本発明に係る第５実施形態のコネクターの取付け構造を示すものである。この第５実施形態も、図１から図３で示した第１実施形態と同一構成部分には、同一符号を付してその説明は省略する。
図９で示す第５実施形態の壁部１には、複数本の信号用電線１３を筐体の外部から内部に通過させる挿通孔（不図示）が形成されており、筐体の内部に収納された電気機器（不図示）と筐体の外部に配置した電気機器とが、壁部１の挿通孔を通過した複数本の信号用電線１３で接続されているとともに、複数本の信号用電線１３を保持する１個のコネクター１４が壁部１の壁面４に取付けられている。
【００３６】
信号用電線１３は、第１実施形態で示した電線２に対して直径が小さな細い電線である。
コネクター１４は、アルミニウム合金等の金属により一体成形された部品であり、楕円筒形状の電線保持部１５と、電線保持部１５の一端側の開口周縁から形成されている円環形状のツバ部１６と、ツバ部１６の外周の一部から径方向外方に突出している一つの固定部１７と、を備えている。固定部１７の外周は円弧形状に形成され、ツバ部１６の外周の一部から突出することで瓢箪形をなしている。
【００３７】
コネクター１４の電線保持部１５は、内部に挿入した複数本の信号用電線１３を楕円筒形状の内部空間に樹脂モールド１８で埋め込んでいる。すなわち、複数本の信号用電線１３が、楕円筒形状の電線保持部１５の短軸方向に２列に配置され、長軸方向に列状に配置された状態で樹脂モールド１８に埋め込まれており、電線保持部１５は、第１実施形態の電線保持部７と比較して大きな形状の部位である。
【００３８】
コネクター１４の固定部１７の平面方向の中央部には、ねじ孔（不図示）が形成されており、このねじ孔を通過した固定ねじ１０が壁部１に形成しためねじ部（不図示）にねじ込まることで、コネクター１４が壁面４に取付けられている。
ここで、図１０に示す電線保持部１５の中心位置Ｐ１は、楕円形状の電線保持部１５の長軸及び短軸が交差する位置としている。
【００３９】
この中心位置Ｐ１から固定部１７のねじ孔の中心を結ぶ線を固定部仮想線Ｌｋ２とすると、電線保持部１５は、長軸が固定部仮想線Ｌｋ２上に延在して形成されている。
図１０は、壁面４に取り付けられたコネクター１４の配置位置を示すものである。
図１０によると、電線保持部１５の中心位置Ｐ１を通過して壁面４の高さ方向に延在している高さ方向仮想線Ｌｔと、中心位置Ｐ１で高さ方向仮想線Ｌｔに直交して壁面４の幅方向に延在している幅方向仮想線Ｌｈとにより、壁面４を４つの分割領域Ｂ１〜Ｂ４に分けている。
【００４０】
そして、コネクター１４の固定部１７は、分割領域Ｂ１において高さ方向仮想線Ｌｔ及び幅方向仮想線Ｌｈ重ならない位置に配置されている。すなわち、幅方向仮想線Ｌｈと固定部仮想線Ｌｋ２とがなす角度θが４５°（θ＝４５°）となる位置に固定部１７が配置されている。
この第５実施形態のコネクターの取付け構造によると、第１実施形態の電線保持部７と比較して大きな形状の電線保持部１５を備えたコネクター１４を使用しても、分割領域Ｂ１において高さ方向仮想線Ｌｔ及び幅方向仮想線Ｌｈに重ならない位置に固定部１７を配置したことで、取付け高さＴ及び取付け幅Ｈの両者が小さな値となり、コネクター１４の取付け面積の縮小化を図ることができるので、コンパクトなコネクターの取付け構造を得ることができる。
【００４１】
なお、第５実施形態では第１分割領域Ｂ１に固定部１７を配置したが、他の第２〜第４分割領域において高さ方向仮想線Ｌｔ及び幅方向仮想線Ｌｈに重ならない位置に固定部１７１を配置しても、同様の効果を奏することができる。
また、図１０では、幅方向仮想線Ｌｈと固定部仮想線Ｌｋ２とがなす角度θが４５°となる位置に固定部１７を配置しているが、θ＝４５°±１５°の角度範囲において固定部１７が配置されていても、コネクター１４の取付け面積の縮小化を図ることができる。
【００４２】
さらに、図９及び図１０のコネクター１４は、電線保持部１５の長軸が固定部仮想線Ｌｋ２上に延在するように形成されているが、図１１に示すように、電線保持部１５の長軸が幅方向仮想線Ｌｈ上に延在するように形成しても、或いは、図１２に示すように、電線保持部１５の長軸が高さ方向仮想線Ｌｔ上に延在するように形成されていても、コネクター１４の取付け面積の縮小化を図ることができる。
さらに、コネクター１４は金属材に限らず、樹脂製であってもよい。
【符号の説明】
【００４３】
１  壁部
２  電線
３  コネクター
４  壁面
５  導体
６  絶縁被覆部材
７  電線保持部
８  ツバ部
９  固定部
１０  固定ねじ
１１  コネクター
１２  固定部
１３  信号用電線
１４  コネクター
１５  電線保持部
１６  ツバ部
１７  固定部
１８  樹脂モールド
Ｐ，Ｐ１  中心位置
Ｌｔ  高さ方向仮想線
Ｌｈ  幅方向仮想線
Ｌｋ，Ｌｋ１，Ｌｋ２  固定部仮想線
θ  幅方向仮想線と固定部仮想線とがなす角度
【図１】
2017139163.tif 000003
【図２】
2017139163.tif 000004
【図３】
2017139163.tif 000005
【図４】
2017139163.tif 000006
【図５】
2017139163.tif 000007
【図６】
2017139163.tif 000008
【図７】
2017139163.tif 000009
【図８】
2017139163.tif 000010
【図９】
2017139163.tif 000011
【図１０】
2017139163.tif 000012
【図１１】
2017139163.tif 000013
【図１２】
2017139163.tif 000014